(57)【要約】【課題】簡易な構成によって両眼視機能検眼視標の提示ができ、被検者が自然視状態と同様の眼位での両眼視機能検眼が可能な視標提示装置及び眼科装置を提供する。【解決手段】検眼装置１００に備えられる視標表示装置２を、１つの表示面２０ａに、左眼用及び右眼用の視標ＯＬ，ＯＲを表示する左眼用及び右眼用の表示領域２１Ｌ，２１Ｒを有するディスプレイ２０と、表示領域２１Ｌ，２１Ｒに対応して配置される左眼用及び右眼用の視標側偏光フィルムｆＬ，ｆＲと、左眼ＥＬ及び右眼ＥＲに対応して配置される左眼用及び右眼用の被検眼側偏光フィルムＦＬ，ＦＲと、左眼ＥＬ及び右眼ＥＲに対応して配置される左眼用及び右眼用のプリズムＰＬ，ＰＲと、を備えて構成する。表示領域ＯＲに視標ＯＬ，ＯＲを表示した両眼視機能検眼の際に、左眼ＥＬ及び右眼ＥＲに対応させて、プリズムＰＬ，ＰＲを配置する。【選択図】図４
2020005821.tif 000002
【特許請求の範囲】
【請求項１】
１つの表示面に、左眼用及び右眼用の視標が表示される左眼用及び右眼用の２つの表示領域を有する視標表示部を備え、
左眼用及び右眼用の各表示領域からの光は、互いに異なる光学特性を有し、
左眼及び右眼に対応して配置されて左眼用及び右眼用の各表示領域からの光学特性を有する光のみを各々透過させる左眼用及び右眼用の一対の光学部材と、
前記左眼及び前記右眼に対応して配置されて左眼用及び右眼用の前記光学部材を透過した前記光を偏向して前記左眼及び前記右眼に導く左眼用及び右眼用の一対の光偏向部材と、を備え、
前記視標表示部の左眼用及び右眼用の前記表示領域に前記視標を表示した両眼視機能検眼の際に、前記左眼及び前記右眼に対応させて、左眼用及び右眼用の前記光偏向部材を配置するように構成されたことを特徴する視標表示装置。
【請求項２】
前記光学特性が波長であり、左眼用及び右眼用の各表示領域には、互いに異なる波長の左眼用及び右眼用の各視標が表示され、左眼用及び右眼用の各光学部材は、左眼用及び右眼用の各視標からの波長の光のみを透過するフィルタから構成されていることを特徴とする請求項１に記載の視標表示装置。
【請求項３】
前記光学特性が偏光特性であり、前記視標表示部の左眼用及び右眼用の前記表示領域に対応して配置されて各表示領域からの光から偏光特性が異なる偏光光を得る左眼用及び右眼用の一対の視標側偏光部材をさらに備え、左眼用及び右眼用の各表示領域からの前記光は、左眼用及び右眼用の各視標側偏光部材によって互いに異なる偏光特性を有するものとされ、左眼用及び右眼用の各光学部材は、左眼用及び右眼用の前記視標側偏光部材により得られた各偏光光を透過させる被検眼側偏光部材から構成されていることを特徴する請求項１に記載の視標表示装置。
【請求項４】
左眼用及び右眼用の前記表示領域は、前記表示面を上下又は左右に２分するように設けられていることを特徴とする請求項１〜３のいずれか一項に記載の視標表示装置。
【請求項５】
左眼用及び右眼用の前記光偏向部材は、前記左眼及び前記右眼の眼位が、自然視状態となるように、左眼用及び右眼用の各光学部材を透過した前記光を偏向させることを特徴とする請求項１〜４のいずれか一項に記載の視標表示装置。
【請求項６】
左眼用及び右眼用の前記光学部材は、左眼用及び右眼用の前記表示領域からの光の光路中への配置及び前記光路外への退避が自在に設けられていることを特徴とする請求項１〜５のいずれか一項に記載の視標表示装置。
【請求項７】
左眼用及び右眼用の前記光偏向部材の偏向角及び偏向量は、前記左眼及び前記右眼の状態に応じて変更されることを特徴とする請求項１〜６のいずれか一項に記載の視標表示装置。
【請求項８】
請求項１〜７のいずれか一項に記載の視標表示装置を備えることを特徴とする眼科装置。
【請求項９】
前記左眼及び前記右眼の視機能を矯正するための複数の光学部材を有する左眼用及び右眼用の検眼光学系を備え、左眼用及び右眼用の前記検眼光学系が、前記光学部材として１つ又は複数の検眼用光偏向部材を有し、前記視標表示装置の左眼用及び右眼用の前記光偏向部材として、前記検眼光学系の前記検眼用光偏向部材を用いることを特徴とする請求項８に記載の眼科装置。
【発明の詳細な説明】
【技術分野】
【０００１】
本発明は、視標表示装置及び眼科装置に関する。
【背景技術】
【０００２】
被検眼に視標を呈示し、その見え方に関する被検者からの応答に基づいて被検眼の視機能を検査する自覚式の検眼装置が知られている。このような自覚式の検眼装置を用いた検査項目の一つとして、両眼に異なる視標を呈示し、斜位検査や立体視機能検査を行う両眼視機能検眼がある。異なる視標を左右眼に提示する手法としては、一般的に、右眼用の視標からの光と、左眼用の視標からの光の各々を、偏光方向の異なる偏光子(偏光フィルム)を透過させることで偏光方向の異なる偏光光とし、左右の眼前には、各眼用の視標からの偏光光のみを透過する偏光板を配置することで、左右眼に各々の視標のみを視認させるものが知られている。
【０００３】
両眼に異なる視標を呈示する視標表示装置として、液晶ディスプレイや有機エレクトロルミネッセンス等の電子表示デバイスを用いたものが開示されている（例えば、特許文献１、２参照）。ここで、電子表示デバイスで左右眼に異なる視標を呈示する場合、一般的には、画素のラインごとに偏光特性の異なる偏光フィルタを配置している。そのため、片眼に提示する画像は１ラインおきとなり、解像度が１／２と低下してしまう。
【０００４】
このような解像度の低下を抑制すべく、特許文献１には、左眼用及び右眼用の２つのディスプレイを配置し、左眼用及び右眼用のディスプレイにそれぞれ表示された視標の光束の光軸を、ビームコンバイナで同軸に合成する視力呈示装置が開示されている。しかし、左右眼用にディスプレイが２つ必要であり、ビームコンバイナを用いて光軸を合成する必要があるため、構成が複雑で、コストや配置スペースの点も問題がある。
【０００５】
このような問題に対応すべく、特許文献２には、一つのディスプレイの異なる表示領域に、右眼用視標と左眼用視標をそれぞれ表示し、各々の表示領域に対応して、右眼用視標と左眼用視標からの光を、互いに直交する偏光軸の光に変換する偏光光学部材を配置した視標提示装置が開示されている。しかし、特許文献２に記載の従来技術では、異なる領域に呈示された左右眼用の視標像を融像する場合に、自然視状態と眼位が異なるため、自然な（違和感のない）検眼ができないという問題がある。
【先行技術文献】
【特許文献】
【０００６】
【特許文献１】特開２００９−２４０７２７号公報
【特許文献２】特開２０１４−５７６８６号公報
【発明の概要】
【発明が解決しようとする課題】
【０００７】
本発明は、上記問題に着目してなされたもので、簡易な構成によって両眼視機能検眼視標の提示ができ、被検者が自然視状態と同様の眼位での両眼視機能検眼が可能な視標提示装置及び眼科装置を提供することを目的とする。
【課題を解決するための手段】
【０００８】
上記目的を達成するため、本発明の視標提示装置は、１つの表示面に、左眼用及び右眼用の視標が表示される左眼用及び右眼用の２つの表示領域を有する視標表示部を備え、左眼用及び右眼用の各表示領域からの光は、互いに異なる光学特性を有し、左眼及び右眼に対応して配置されて左眼用及び右眼用の各表示領域からの光学特性を有する前記光のみを各々透過させる左眼用及び右眼用の一対の光学部材と、前記左眼及び前記右眼に対応して配置されて左眼用及び右眼用の前記光学部材を透過した前記光を偏向して前記左眼及び前記右眼に導く左眼用及び右眼用の一対の光偏向部材と、を備え、前記視標表示部の左眼用及び右眼用の前記表示領域に前記視標を表示した両眼視機能検眼の際に、前記左眼及び前記右眼に対応させて、左眼用及び右眼用の前記光偏向部材を配置するように構成されたことを特徴とする。
【０００９】
また、本発明の眼科装置は、上述のような視標提示装置を備えたことを特徴とする。
【発明の効果】
【００１０】
このように構成された視標提示装置及び眼科装置では、両眼視機能検眼を行うときに、左眼及び右眼に対応させて、左眼用及び右眼用の光偏向部材が配置される。これにより、視標表示部の左眼用及び右眼用の異なる表示領域からの互いに異なる光学特性の左眼用及び右眼用の視標の光を、各光偏向部材によって偏向させて左眼及び右眼に導くことができる。したがって、簡易な構成によって両眼視機能検眼視標の提示ができ、被検者が自然視状態と同様の眼位での両眼視機能検眼が可能となる。
【図面の簡単な説明】
【００１１】
【図１】第１実施形態に係る検眼装置の外観構成を示す模式図である。
【図２】第１実施形態に係る検眼装置の制御系のブロック構成を示す図である。
【図３】第１実施形態に係る検眼装置の検眼装置本体の光学部材とその駆動機構、及び視標表示装置の概略を表す図である。
【図４】第１実施形態に係る検眼装置を用いた両眼視機能検眼の際の光路と眼位の状態を説明するための説明図である。
【図５Ａ】偏光フィルム及びプリズムが光路中に配置されていない状態で、表示面に表示された１つの視標を注視したときの眼位の状態を説明するための説明図である。
【図５Ｂ】偏光フィルムを光路中に配置し、プリズムが配置されていない状態で、左眼用及び右眼用の表示領域に表示された左眼用及び右眼用の視標を注視したときの眼位の状態を説明するための説明図である。
【図６】第１実施形態に係る検眼装置の動作の一例を示すフローチャートである。
【図７】（ａ）は第３実施形態に係る検眼装置の概略図であり、（ｂ）は第４実施形態に係る検眼装置の概略図である。
【発明を実施するための形態】
【００１２】
（第１実施形態）
以下、本発明の視標表示装置及びこの視標表示装置を備える眼科装置の一例としての自覚式の検眼装置（以下、単に「検眼装置」という。）の第１実施形態を、図面を参照しながら説明する。
第１実施形態に係る検眼装置は、被検者が左右の両眼を開放した状態で、斜位検査、融像検査、立体視機能検査等の両眼視機能検眼を実行可能な検眼装置である。なお、本実施形態の検眼装置では、両眼同時に検査するだけでなく、片眼ずつ検査することも可能となっている。
【００１３】
［検眼装置１００の構成］
第１実施形態に係る検眼装置１００の構成を、図１〜図５Ｂを参照しながら説明する。図１は、第１実施形態に係る検眼装置１００の外観構成を表す模式図である。図２は、第１実施形態に係る検眼装置１００の構成を表すブロック図である。図３は、検眼装置本体１の光学部材１０とその駆動機構１３、及び視標表示装置２の概略を表す図である。
【００１４】
図４、図５Ａ、図５Ｂは、検眼装置１００を用いた両眼視機能検眼の際の光路と眼位の状態を説明するための説明図である。図４〜図５Ｂでは、検眼装置１００を上から観た平面図（上面図）で表しているが、説明を容易にするため、視標表示装置２のディスプレイ２０のみは、正面図で表している。また、図４、図５Ａ、図５Ｂは、説明を容易とするために模式的に表現した図であり、実際のスケールとは異なっている。
【００１５】
本実施の形態の検眼装置１００は、図１に示すように、検眼装置本体１と、視標表示装置２と、コントローラ３と、を主に備えて構成される。検眼装置本体１は、例えば、検眼テーブル４に備えられる。
【００１６】
なお、本明細書を通じて図１に記すようにＸ軸、Ｙ軸及びＺ軸を取り、被検者Ｓから見て、左右方向をＸ方向とし、上下方向（鉛直方向）をＹ方向とし、Ｘ方向及びＹ方向と直交する方向（検眼装置本体１から見て視標表示装置２の方向、奥行き方向）をＺ方向とする。
【００１７】
検眼テーブル４は、検眼装置本体１の支持やコントローラ３の載置のための机である。例えば、検眼テーブル４には、支柱５が立った状態で設けられる。支柱５は、その長手方向に伸縮可能に構成される。支柱５は、横方向に延びる支持アーム６を支持する。支持アーム６には、支柱５と反対側の端部（先端部）に支持部材７が取り付けられている。この支持部材７に、検眼装置本体１が吊り下げられることで、支持アーム６が検眼装置本体１を支持する。また支持アーム６の先端部には、操作アーム８が、この先端部から突出するように設けられている。操作アーム８は、検者Ｔによる操作を受け、支持アーム６及び検眼装置本体１と共に、支柱５の軸回り方向（矢印a，ｂ方向）に回動可能である。また、検眼テーブル４の近傍には、被検者Ｓ用の椅子９ａが備えられているが、検者Ｔ用の椅子９ｂを備えていてもよい。
【００１８】
〔検眼装置本体１〕
検眼装置本体１は、左右の被検眼Ｅ（左眼ＥＬ，右眼ＥＲ）に対応するように、左右に一対設けられた左眼用及び右眼用の検眼光学系としての検眼ユニット１０Ｌ，１０Ｒを備えている。各検眼ユニット１０Ｌ，１０Ｒは、左右方向（Ｘ方向）にスライド可能に支持部材７に取り付けられ、相対接近及び離反が可能となっている。以下、「左眼用及び右眼用」を、単に「左右眼用」、又は「左右の」と省略することがある。
【００１９】
左右眼用の検眼ユニット１０Ｌ，１０Ｒには各々左右眼用の検眼窓１１Ｌ，１１Ｒが設けられている。各検眼ユニット１０Ｌ，１０Ｒ内には、左右眼用の検眼窓１１Ｌ，１１Ｒに選択的に配置して検眼に用いる左右眼用の複数の光学部材１２Ｌ，１２Ｒが配置されている。また、各検眼ユニット１０Ｌ，１０Ｒ内には、各検眼窓１１Ｌ，１１Ｒに配置されて各検眼窓１１Ｌ，１１Ｒをそれぞれ開閉（遮蔽・開放）する左右眼用の遮光部材が設けられている。左右眼用の光学部材１２Ｌ，１２Ｒ及び遮光部材は、左右眼用の駆動機構１３Ｌ，１３Ｒによって個別に動作可能に構成されている。
【００２０】
左右眼用の複数の光学部材１２Ｌ，１２Ｒは、被検眼Ｅの視機能を矯正するために用いられる各種レンズ及び偏光部材からなる集合体である。各光学部材１２Ｌ，１２Ｒは、例えば、偏光フィルタ、球面レンズ、円柱レンズ、プリズムを含んでいる。複数の光学部材１２Ｌ，１２Ｒは、検眼パラメータの種別ごとに組分けされる。本実施形態では、左右眼用の光学部材１２Ｌ，１２Ｒの各偏光部材は、光学部材（偏光部材）としての左右眼用の被検眼側偏光フィルム（フィルタ）ＦＬ，ＦＲを含み、各プリズムは、光偏向部材としての左右眼用のプリズムＰＬ，ＰＲを含んでいる（図４参照）。左右眼用の偏光フィルム（以下、「被検眼側偏光フィルム」という。）ＦＬ，ＦＲは、直線偏光フィルムから構成され、互いの偏光軸（偏波面）が直交するように設けられている。
【００２１】
検眼パラメータは、被検眼Ｅの視機能を検査するための検査条件を示すものである。例えば、検眼パラメータの種別は、球面度数、乱視度数、乱視軸角度、加入度数、瞳孔間距離、プリズム度数及びプリズム基底方向のうち少なくとも１つを含む。検眼パラメータの種別ごとの組分けとして、球面度数の組は、複数の球面レンズを含み、それぞれ異なる球面度数の球面レンズにより構成される。乱視度数の組は、複数の円柱レンズを含み、それぞれ異なる乱視度数の円柱レンズにより構成される。なお、乱視度数の組は、さらに乱視軸角度に応じて個々のレンズを回転可能に構成されている。プリズム度数の組は、複数のプリズムを含み、それぞれ異なるプリズム度数のプリズムにより構成される。なお、プリズム度数の組は、さらに個々のプリズムが回転可能に構成されてもよい。瞳孔間距離は、被検眼Ｅ（左眼ＥＬ，右眼ＥＲ）の瞳孔間距離ＰＤに合わせて設定される検査条件である。瞳孔間距離は、検眼ユニット１０Ｌ，１０Ｒの一方又は双方が、水平方向（Ｘ方向）にスライドすることにより設定される。なお、本実施形態では、プリズム屈折力の異なる複数のプリズムを配置する構成としているが、これに限定されるものではなく、２枚のプリズム組からなる可変プリズム(ロータリープリズム)を用いる構成としてもよい。
【００２２】
左右眼用の駆動機構１３Ｌ，１３Ｒは、左右眼用の複数の光学部材１２Ｌ，１２Ｒのそれぞれを左右の検眼窓１１Ｌ，１１Ｒに配置させ、かつ、検眼窓１１Ｌ，１１Ｒから退避させることが可能に構成されている。例えば、各駆動機構１３Ｌ，１３Ｒは、左右眼用の複数の円板形状のターレット板１４Ｌ，１４Ｒを有している。各ターレット板１４Ｌ，１４Ｒは、各駆動機構１３Ｌ，１３Ｒによって、円の中心を軸として円周回りに回転可能に構成される。各ターレット板１４Ｌ，１４Ｒは、外周縁の近傍に複数の孔ｈを有する。孔ｈには、光学部材１２Ｌ，１２Ｒがそれぞれ嵌め込まれている。駆動機構１３Ｌ，１３Ｒは、ターレット板１４Ｌ，１４Ｒを回転させることにより、複数の光学部材１２Ｌ，１２Ｒのそれぞれを検眼窓１１Ｌ，１１Ｒに配置させ、かつ、検眼窓１１Ｌ，１１Ｒから退避させる。駆動機構１３Ｌ，１３Ｒは、例えば、アクチュエータと、複数の歯車組やラック・アンド・ピニオン等の駆動力伝達機構と、等から構成される。
【００２３】
〔視標表示装置２〕
視標表示装置２は、図３に示すように、検眼装置本体１を介して被検眼Ｅの前方の所定距離Ｄの位置に配置される。視標表示装置２は、視標表示部としてのディスプレイ２０を備え、その表示面（表示領域）２０ａに視標を表示することによって、被検眼Ｅに視標を呈示する。視標表示装置２は、コントローラ３からの制御信号を受けることによって、視力検査視標、赤緑検査視標、乱視検査視標、両眼視機能検眼視標等の視標をディスプレイ２０の表示面２０ａに表示する。
【００２４】
ディスプレイ２０は、液晶ディスプレイ（ＬＣＤ）や有機エレクトロルミネッセンスディスプレイ（有機ＥＬ）等の電子表示デバイスによって構成される。表示面２０ａは、ピクセル（画素）がアレイ状に配列されている。表示する視標に応じて、表示面２０ａの所定の領域に視標を表示することができる。
【００２５】
また、本実施形態では、両眼視機能検眼視標を表示するべく、図１、図４に示すように、表示面２０ａを中央から左右に２分割して、左眼用の表示領域２１Ｌと右眼用の表示領域２１Ｒを設けられるようになっている。
【００２６】
なお、左眼用の表示領域２１Ｌと右眼用の表示領域２１Ｒが、本実施形態の構成に限定されるものではない。例えば、表示面２０ａの一部（例えば、上部側）に、左右に並べて左眼用の表示領域２１Ｌと右眼用の表示領域２１Ｒを設けてもよく、表示面２０ａが大きい場合や、縦長の場合などに好適である。また、プリズムやミラー等の光学部材によって光路を調整すれば、表示面２０ａに、左眼用の表示領域２１Ｌと右眼用の表示領域２１Ｒを上下方向（Ｙ方向）に並べて設けることもできる。
【００２７】
この左眼用の表示領域２１Ｌと右眼用の表示領域２１Ｒに対応して、被検者Ｓ側（手前側）に、それぞれ左眼用の偏光フィルム（以下、「視標側偏光フィルム」という）ｆＬと右眼用の偏光フィルムｆＲが配置されている。ここで、「偏光フィルム」とは位相を変更するλ／２板などの位相板も含んでいる。この視標側偏光フィルムｆＬ，ｆＲは、左眼用の表示領域２１Ｌと右眼用の表示領域２１Ｒに固定的に設けてもよいが、本実施形態では各表示領域２１Ｌ，２１Ｒに対して着脱自在に設けている。このように着脱自在とすることで、偏光の必要がない検査の際に、視標側偏光フィルムｆＬ，ｆＲを光路中から退避させることができ、より明るい視標を提示可能であるなど、検査の自由度を高めることができる。
【００２８】
左眼用の視標側偏光フィルムｆＬ透過後は、所定の偏光軸（「第１の偏光軸」という。）に偏光した光のみとなる。右眼用の視標側偏光フィルムｆＲ透過後は、第１の偏光軸に直交する偏光軸（「第２の偏光軸」という。）に偏光した光のみとなる。
【００２９】
第１の偏光軸は、左眼用の被検眼側偏光フィルムＦＬの偏光軸に平行である。第２の偏光軸は、右眼用の被検眼側偏光フィルムＦＲの偏光軸に平行である。これにより、検査が行われているとき、左眼用の視標側偏光フィルムｆＬが設けられた左眼用の表示領域２１Ｌからの光は、左眼用の被検眼側偏光フィルムＦＬを透過し、プリズムＰＬによって偏向されて左眼ＥＬに到達する。同様に、右眼用の視標側偏光フィルムｆＲが設けられた右眼用の表示領域２１Ｒからの光は、右眼用の被検眼側偏光フィルムＦＲを透過し、プリズムＰＲによって偏向されて右眼ＥＲに到達する。
【００３０】
ここで、左右眼用の表示領域２１Ｌ，２１Ｒ、視標側偏光フィルムｆＬ，ｆＬ、被検眼側偏光フィルムＦＬ，ＦＲ及びプリズムＰＬ，ＰＲとの関係について、図４、図５Ａ、図５Ｂを参照しながら説明する。
【００３１】
図５Ａには、左右眼用の各偏光フィルムＦＬ，ＦＲ，ｆＬ，ｆＬとプリズムＰＬ，ＰＲが光路中に配置されていない状態で、表示面２０ａの表示された１つの視標Ｏを注視したときの眼位の状態が示されている。この図５Ａに示すように、両眼視で５ｍ先の視標Ｏを注視する場合、例えば、左眼ＥＬ及び右眼ＥＲの瞳孔間距離ＰＤが、平均的な６４ｍｍの被検者Ｓであれば、左眼ＥＬ及び右眼ＥＲは、Ｚ軸に対してそれぞれθ＝０．３７°内側に回旋（内方視）する。これは０．６４Δ（プリズムディオプタ）に相当する。こちらが、本来の自然視状態の眼位での自然な（違和感のない）両眼視の状態である。
【００３２】
これに対して、図５Ｂに示すように、左眼用及び右眼用の異なる表示領域２１Ｌ，２１Ｒに、視標ＯＬ及び視標ＯＲを各々呈示する場合、視標ＯＬ及び視標ＯＲの中心は５ｍ先で、表示面２０ａの幅方向の中心からＬ１＝１５０ｍｍ離れて呈示される。つまり、視標ＯＬ及び視標ＯＲの中心は、Ｌ２＝３００ｍｍ離れて呈示される。したがって、ＰＤ＝６４ｍｍの被検者Ｓの左眼ＥＬ及び右眼ＥＲが、対応する左眼用及び右眼用の視標ＯＬ，ＯＲの中心を注視した場合、逆にＺ軸に対してθ’＝１．３５°外側に回旋する。これは２．３６Δとなり、図５Ａの本来の回旋（内方視）に比べて、３Δ（０．６４Δ＋２．３６Δ）外側に回旋することになるため、被検者Ｓが違和感を覚える。
【００３３】
そこで、本実施形態では、図４に示すように、左右眼用の検眼ユニット１０Ｌ，１０Ｒに備えられた光学部材１２Ｌ，１２ＲのプリズムＰＬ，ＰＲを、左眼ＥＬ及び右眼ＥＲの前方に配置している。この構成により、左眼ＥＬ及び右眼ＥＲが、自然視に近い眼位となるように、プリズムＰＬ，ＰＲを透過した後の光線（図４に示す光線Ｂ）が偏向される。
【００３４】
図４の例では、３ΔＢＯ（プリズムベースアウト）のプリズムＰＬ，ＰＲを配置している。しかし、プリズムＰＬ，ＰＲによる偏光量（プリズム度数）が図４の例に限定されるものではなく、被検眼Ｅと視標表示装置２との距離、左右眼用の視標ＯＬ，ＯＲの中心間隔、被検者Ｓの瞳孔間距離ＰＤなどの条件に応じて適宜変更することができる。本実施形態では、左右の検眼ユニット１０Ｌ，１０Ｒに備えられた光学部材１２Ｌ，１２Ｒの中のプリズムを利用する構成であるため、条件に対応した適切な偏光量のプリズムＰＬ，ＰＲを選択して配置することができる。
【００３５】
なお、左右眼用の視標ＯＬ，ＯＲとして、図４では十字型の視標を表示しているが、これに限定されるものではない。例えば、ランドルト環、スネレン視標、Ｅチャート等であってもよいし、ひらがなやカタカナ等の文字、動物や指等の絵等を用いた視標であってもよいし、両眼検査用の特定の図形や風景画や風景写真等であってもよく、様々な視標を用いることができる。また、視標ＯＬ，ＯＲが静止画であってもよいし動画であってもよい。視標表示部として、ＬＣＤ等のディスプレイ２０を用いているため、所望の形状及び形態の視標を表示することができ、多様な両眼視機能検眼が可能となる。
【００３６】
〔コントローラ３〕
コントローラ３は、検者Ｔが検眼装置１００を操作するために用いられる。コントローラ３は、検者Ｔによる操作を受け付け、この操作に応じた制御信号を検眼装置本体１又は視標表示装置２又はこれら双方へ出力する。コントローラ３と検眼装置本体１とは、一般的な通信インターフェイス（Ｉ／Ｆ）によって、通信可能に接続される。コントローラ３は、この通信Ｉ／Ｆを介して、制御信号を検眼装置本体１へ出力する。また、コントローラ３と視標表示装置２とは、一般的な通信Ｉ／Ｆによって、通信可能に接続される。コントローラ３は、この通信Ｉ／Ｆを介して、制御信号を視標表示装置２へ出力する。
【００３７】
コントローラ３は、図２に示すように、検眼装置１００全体の動作を制御する制御部３０と、検者Ｔからの操作指示を受け付ける受付部３１と、検眼パラメータ、検査情報又は検査結果等を表示する表示部３２と、などを有して構成される。
【００３８】
受付部３１として、例えば、キーボードやマウスを備えている。また、表示部３２は、ＬＣＤや有機ＥＬ等により構成することができる。表示部３２がタッチパネル式であれば、表示部３２の表示面が受付部３１としても機能する。受付部３１は、表示面２０ａに表示する各種視標の選択指示、プリズム度数、球面度数（Ｓ）、円柱度数（Ｃ）、軸角度（Ａ）、瞳孔間距離（ＰＤ）、加入度（ＡＤＤ）等を設定するための指示、被検眼Ｅを左眼ＥＬ、右眼ＥＲ又は両眼に設定するため指示等を受け付ける。
【００３９】
本実施形態では、コントローラ３を、受付部３１や表示部３２を備えたノート型パーソナルコンピュータで構成しているが、これに限定されるものではなく、タブレット端末、スマートフォンなどの携帯端末（情報処理装置）で構成することもできる。なお、コントローラ３が、これらに限定されるものではなく、検眼専用のコントローラであってもよい。
【００４０】
制御部３０は、マイクロプロセッサと、ＲＡＭ、ＲＯＭ、ハードディスクドライブ等の記憶部３０ａと、を有して構成される。制御部３０は、記憶部３０ａに、検眼装置１００の各部の制御を行うためのコンピュータプログラムを予め記憶する。制御部３０は、このコンピュータプログラムを、例えばＲＡＭ上に展開して実行することにより、検眼装置１００の動作を統括的に制御する。また、記憶部３０ａには、コンピュータプログラムのほかに、検眼のための各種検眼パラメータ、検眼結果などが記憶される。
【００４１】
制御部３０は、受付部３１で受け付けた操作指示に応じて、検眼パラメータや検査情報を表示部３２に表示させる。また、タッチパネル式の表示部３２の場合は、操作キーなどを表示部３２に表示させる。また、制御部３０は、操作指示に応じて、駆動機構１３Ｌ，１３Ｒを駆動してターレット板１４Ｌ，１４Ｒを回転させ、検眼窓１１Ｌ，１１Ｒに配置される屈折レンズの度数やプリズムの度数を変更する。また、駆動機構１３Ｌ，１３Ｒを駆動して遮蔽部材を作動させ、検眼窓１１Ｌ，１１Ｒを開閉する。
【００４２】
また、制御部３０は、受付部３１で受け付けた呈示対象視標の選択指示によって選択された視標を、表示面２０ａに表示するように視標表示装置２を制御する。この選択指示により、両眼視機能検眼視標の表示が選択された場合、制御部３０は、表示面２０ａの左眼用の表示領域２１Ｌ及び右眼用の表示領域２１Ｒに、左眼用の視標ＯＬ及び右眼用の視標ＯＲをそれぞれ表示し、かつ、各表示領域２１Ｌ，２１Ｒに、視標側偏光フィルムｆＬ，ｆＲを配置するように視標表示装置２を制御する。このとき、駆動機構１３Ｌ，１３Ｒを駆動して対応するターレット板１４Ｌ，１４Ｒを回転させ、被検眼Ｅ（左眼ＥＬ，右眼ＥＲ）の前方であって検眼窓１１Ｌ，１１Ｒに、予め決められているか又は瞳孔間距離ＰＤ等の条件に応じて選択されたプリズムＰＬ，ＰＲを配置する。
【００４３】
上述のような構成の第１実施形態の検眼装置１００を用いて、両眼視機能検眼を実行するとき動作の一例を、図６のフローチャートに従って説明する。
【００４４】
まず、準備作業として検眼装置１００（検眼装置本体１、視標表示装置２及びコントローラ３）を電源オンして起動させる。次いで、被検者を椅子９ａに座らせて、検眼装置本体１と対峙させ、左眼ＥＬ及び右眼ＥＲの前方に左眼用の検眼ユニット１０Ｌ及び右眼用の検眼ユニット１０Ｒを配置する。このとき、検者Ｔがコントローラ３を操作して駆動機構１３Ｌ,１３Ｒを駆動するか又は手動で、被検眼Ｅの瞳孔間距離ＰＤに応じて、検眼ユニット１０Ｌ,１０Ｒを左右方向にスライドさせ、左眼ＥＬ及び右眼ＥＲに臨んで検眼窓１１Ｌ，１１Ｒが配置されるように調整する。
【００４５】
そして、検者Ｔがコントローラ３を操作して、両眼視機能検眼視標の呈示を指示すると、この指示に従って、制御部３０が視標表示装置２を制御する。視標表示装置２は、図４に示すように、ディスプレイ２０の表示面２０ａの左眼用及び左眼用の表示領域２１Ｌ，２１Ｒに、左眼用及び右眼用の視標ＯＬ，ＯＲをそれぞれ表示する（ステップＳ１）。次いで、左眼用及び左眼用の表示領域２１Ｌ，２１Ｒの前方に、左眼用及び左眼用の視標側偏光フィルムｆＬ，ｆＲを配置する（ステップＳ２）。
【００４６】
次に、制御部３０は、検眼ユニット１０Ｌ，１０Ｒの駆動機構１３Ｌ，１３Ｒを駆動し、対応するターレット板１４Ｌ，１４Ｒを回転させる。これにより、左眼用及び左眼用の検眼窓１１Ｌ，１１Ｒに、左眼用及び左眼用の被検眼側偏光フィルムＦＬ，ＦＲを配置し（ステップＳ３）、左眼用及び左眼用のプリズムＰＬ，ＰＲを配置する（ステップＳ４）。
【００４７】
このとき、例えば３ΔＢＯのプリズムＰＬ，ＰＲを配置してもよい。また、検眼ユニット１０Ｌ，１０Ｒのスライド移動によって制御部３０が取得した瞳孔間距離ＰＤ、斜位の有無、その他の被検眼Ｅの状態に基づいて、偏向角及び偏向量を算出し、算出した偏向角及び偏向量に対応するプリズムＰＬ，ＰＲを光学部材１２Ｌ，１２Ｒの中から選択して配置することがより望ましく、被検眼Ｅの状態に対応したより高精度な検査が可能となる。なお、プリズムＰＬ，ＰＲの偏向角及び偏向量は、計算による取得に限定されるものではなく、瞳孔間距離ＰＤ等の被検眼Ｅの状態とプリズムＰＬ，ＰＲの偏向角及び偏向量とを対応付けたテーブルを予め記憶部３０ａに記憶しておき、このテーブルから、被検眼Ｅの状態に応じて偏向角及び偏向量を取得してもよい。
【００４８】
以上により、両眼視機能検眼のための検眼装置１００の設定が完了する。なお、上記ステップＳ１〜Ｓ４の工程は、この順に実行してもよいが、順不同で実行してもよいし、実質同時に実行してもよい。
【００４９】
そして、被検者Ｓは、左右の検眼窓１１Ｌ，１１Ｒ及び被検眼側偏光フィルムＦＬ，ＦＲを通して、視標表示装置２から呈示されて視標側偏光フィルムｆＬ，ｆＲによって左眼用及び右眼用の互いに偏光軸が異なる光に偏光された視標ＯＬ，ＯＲの像を注視することができる。このとき、左右眼の前方に配置したプリズムＰＬ，ＰＲによって視標ＯＬ，ＯＲの像の光が偏向されていることから、被検者Ｓは自然視状態と同様の眼位で、違和感のない両眼視機能検眼が可能となる。さらに、この自然視状態で、視標の見え方などに応じて、ターレット板１４Ｌ，１４Ｒを回転させて、プリズムＰＬ，ＰＲに重ね合わせて、別のプリズムを検眼窓１１Ｌ，１１Ｒに配置していくことにより、斜位等の矯正を行うことができる。
【００５０】
プリズムＰＬ,ＰＲと矯正用のプリズムは共通のものを使用してもよい。この場合、プリズムＰＬ，ＰＲのプリズム度数、ベース角度と処方される矯正用プリズムのプリズム度数、ベース角度が合成されたプリズムが被検眼Ｅの眼前に配置される。プリズム度数、軸角度の合成はコントローラ３内で計算され、検者ＴはプリズムＰＬ，ＰＲの度数、ベース角度を意識せずに検眼をすることができる。
【００５１】
（第２実施形態）
次に、第２実施形態に係る視標表示装置２を備えた検眼装置１００について説明する。第２実施形態に係る視標表示装置２及び検眼装置１００は、左眼ＥＬ及び右眼ＥＲに対応して配置される左眼用及び右眼用の一対の光学部材として、被検眼側偏光フィルムＦＬ，ＦＲに代えて、異なる波長の光を透過する左右眼用の一対のフィルタ（カラーフィルタ）を有し、視標側偏光フィルムｆＬ，ｆＲを有していないこと以外は、図１〜４に示す第１実施形態に係る視標表示装置２及び検眼装置１００と同様の基本構成を備えている。そのため、第１実施形態と同様の部材については、詳細な説明は省略する。
【００５２】
異なる波長の光を透過するフィルタとして、例えば、一対のフィルタの一方（例えば、左眼用のフィルタ）を、緑色の波長帯域の光を透過するカラーフィルタで構成し、他方（例えば、右眼用のフィルタ）を、赤色の波長帯域の光を透過するカラーフィルタで構成する。
【００５３】
このような構成の第２実施形態の検眼装置１００で両眼視機能検眼を行う際には、図６に示す第１実施例のステップＳ１、Ｓ３、Ｓ４と略同様の動作を実行する。つまり、ディスプレイ２０の左右の各表示領域２１Ｌ，２１Ｒに、緑色の視標ＯＬと赤色の視標ＯＲを表示し（ステップＳ１）、検眼窓１１Ｌ，１１Ｒへ左右眼用のフィルタを配置し（ステップＳ３）、同様にプリズムＰＬ，ＰＲを配置する（ステップＳ４）。これにより、緑色の視標ＯＬからの光は、左眼用のフィルタのみを透過した後、プリズムＰＬによって偏向されて左眼ＥＬに導かれる。赤色の視標ＯＲからの光は、右眼用のフィルタのみを透過した後、プリズムＰＲによって偏向されて右眼ＥＲに導かれる。したがって、第２実施形態においても、被検者Ｓは自然視状態と同様の眼位で、違和感のない両眼視機能検眼が可能となる。また、視標側偏光フィルムｆＬ，ｆＲが不要で、より簡易な構成の視標表示装置２及び検眼装置１００を提供することができる。
【００５４】
なお、上記では、左眼用及び右眼用の視標ＯＬ，ＯＲの波長及びフィルタが透過させる波長を、それぞれ緑色、赤色としているが、これに限定されるものではない。左眼用の波長を赤色とし、右眼用の波長を緑色としてもよい。また、左眼用と右眼用とで波長が異なれば、緑色及び赤色以外の波長としてもよい。
【００５５】
また、第１、第２実施形態の変形例として、第１実施形態のように偏光フィルムＦＬ，ＦＲ，ｆＬ，ｆＲを用いて偏光特性で視標ＯＬ，ＯＲからの光を分離する構成と、第２実施形態のようにカラーフィルタを用いて波長によって視標ＯＬ，ＯＲからの光を分離する構成とを組み合わせた視標表示装置２及び検眼装置１００としてもよい。両眼視機能検眼の種別や被検眼Ｅの状態等に応じて、偏光を利用した検眼を行ってもよいし、色（波長）の違いを利用した検眼を行ってもよく、視標表示装置２及び検眼装置１００の機能性を向上させることができる。
【００５６】
（第３実施形態）
次に、第３実施形態に係る視標表示装置２Ａを備えた検眼装置１００Ａを、図７（ａ）を参照しながら説明する。上記第１実施形態では、被検眼Ｅの５ｍ先に視標表示装置２を設置した構成であるが、第３実施形態の検眼装置１００Ａは、凹面鏡やミラー等の光学部材を利用して光学的に近距離に設置した視標の像を提示することで、検眼距離を確保できる、省スペース型の検眼装置である。
【００５７】
図７（ａ）に示すように、第３実施形態の検眼装置１００Ａは、視標表示装置２Ａと、被検眼Ｅの前方に着脱自在に配置される被検眼側偏光フィルムＦと、プリズムＰと、を備え、さらに検眼装置１００Ａを制御する制御部等も備えて構成されている。
【００５８】
視標表示装置２Ａは、凹面鏡２２、ハーフミラー２３及びディスプレイ２０Ａを主に有する光学部材が、筺体内に収容されて構成されている。ディスプレイ２０Ａは、第１実施形態と同様に、左眼用及び右眼用の視標をそれぞれ表示する左眼用及び右眼用の表示領域が設けられている。各表示領域には、左眼用及び右眼用の視標側偏光フィルムｆが着脱自在に設けられている。
【００５９】
図７（ａ）には、右眼用の被検眼側偏光フィルムＦＲと、プリズムＰＲと、表示領域２１Ｒと、視標側偏光フィルムｆＲとが図示されているが、第３実施形態でも、左眼用のこれらが設けられている。後述する第４実施形態でも同様である。第３、第４実施形態でも、被検眼側偏光フィルムＦ、プリズムＰ及び視標側偏光フィルムｆとして、第１実施形態と同様の光学特性を有するものを用いることができる。また、第３、第４実施形態でも、第１実施形態と同様の検眼装置本体１を備え、この検眼装置本体１の偏光フィルムとプリズムのいずれかを被検眼側偏光フィルムＦとプリズムＰとして兼用してもよい。または、検眼装置本体１を備えなくても、検眼時に一派的に使用されるメガネ型の検眼試験枠に、検眼用の偏光フィルムとプリズムを装着して使用してもよい。
【００６０】
第２実施形態の検眼装置１００Ａでは、ディスプレイ２０Ａに表示される視標からの光は、ハーフミラー２３を透過して凹面鏡２２に導かれ、この凹面鏡２２で反射された後、ハーフミラー２３によって反射されて、被検眼Ｅに導かれる。ハーフミラー２３によって反射された光は、被検眼Ｅの前方の、例えば５ｍの位置に検眼用の視標像として虚像を形成する。これにより、５ｍ先に設置した視標を用いたときと同様の検査が可能となる。
【００６１】
（第４実施形態）
次に、第４実施形態に係る視標表示装置２Ｂを備えた検眼装置１００Ｂを、図７（ｂ）を参照しながら説明する。第４実施形態の検眼装置１００Ｂも、第３実施形態と同様に、レンズ等の光学部材を利用して光学的に検眼距離を確保できる、省スペース型の検眼装置である。
【００６２】
図７（ｂ）に示すように、第４実施形態の検眼装置１００Ｂは、視標表示装置２Ｂと、被検眼Ｅの前方に着脱自在に配置される被検眼側偏光フィルムＦと、プリズムＰと、を備え、さらに検眼装置１００Ｂを制御する制御部等も備えて構成されている。
【００６３】
視標表示装置２Ｂは、ミラー２４、凸レンズ系２５及びディスプレイ２０Ｂを主に有する光学部材が、筺体内に収容されて構成されている。ディスプレイ２０Ｂは、第１実施形態と同様に、左眼用及び右眼用の視標をそれぞれ表示する左眼用及び右眼用の表示領域２１が設けられている。各表示領域２１には、左眼用及び右眼用の視標側偏光フィルムｆが着脱自在に設けられている。
【００６４】
第３施形態の検眼装置１００Ｂでは、ディスプレイ２０Ｂに表示される視標からの光は、凸レンズ系２５に導かれる。凸レンズ系２５は、被検眼Ｅの、例えば５ｍ先の位置に検眼用の視標像として虚像を形成する。凸レンズ系２５を通過した光は、ミラー２４によって反射されて被検眼Ｅに導かれる。
【００６５】
以上のような構成の第３、第４実施形態の視標表示装置２Ａ，２Ｂ及び検眼装置１００Ａ，１００Ｂでは、第１実施形態と同様に、両眼視機能検+眼を行うときに、左右眼用の表示領域２１に左右眼用の視標をそれぞれ表示し、各表示領域に、左右眼用の視標側偏光フィルムｆを配置する。また、被検眼Ｅの前方に、左右眼用の被検眼側偏光フィルムＦとプリズムＰとを配置する。これにより、被検者Ｓが自然視状態と同様の眼位での両眼視機能検眼が可能となる。また、簡易な構成であるだけでなく、コンパクトで省スペース型の視標表示装置２Ａ，２Ｂ及び検眼装置１００Ａ，１００Ｂを提供することができる。
【００６６】
なお、第３、第４実施形態でも、第２実施形態と同様に、各表示領域２１Ｌ，２１Ｒに波長の異なる視標ＯＬ，ＯＲを表示し、左眼ＥＬ及び右眼ＥＲに対応させて配置する光学部材として、各視標ＯＬ，ＯＲからの波長の光のみを透過させるフィルタを用いる構成としてもよい。また、偏光特性で視標からの光を分離する構成と、波長によって視標Ｏからの光を分離する構成とを組み合わせた視標表示装置２Ａ，２Ｂ及び検眼装置１００Ａ，１００Ｂとしてもよい。
【００６７】
以下、本発明の作用効果を説明する。本発明に係る第１〜第４実施形態の視標表示装置２，２Ａ，２Ｂは、１つの表示面２０ａに、左眼用及び右眼用の視標ＯＬ，ＯＲ視標が表示される左眼用及び右眼用の２つの表示領域２１Ｌ，２１Ｒを有する視標表示部としてのディスプレイ２０，２０Ａ，２０Ｂを備え、左眼用及び右眼用の各表示領域２１Ｌ，２１Ｒからの光は、互いに異なる光学特性を有している。左眼ＥＬ及び右眼ＥＲに対応して配置されて左眼用及び右眼用の各表示領域２１Ｌ，２１Ｒからの光学特性を有する光のみを各々透過させる左眼用及び右眼用の一対の光学部材（被検眼側偏光フィルムＦＬ，ＦＲ又はフィルタ）と、左眼ＥＬ及び右眼ＥＲに対応して配置されて左眼用及び右眼用の光学部材を透過した光を偏向して左眼ＥＬ及び右眼ＥＲに導く左眼用及び右眼用の光偏向部材としてのプリズムＰＬ，ＰＲと、を備える。ディスプレイ２０，２０Ａ，２０Ｂの左眼用及び右眼用の表示領域２１Ｌ，２１Ｒに視標ＯＬ，ＯＲを表示した両眼視機能検眼の際に、左眼ＥＬ及び右眼ＥＲに対応させて、左眼用及び右眼用のプリズムＰＬ，ＰＲを配置するように構成されている。また、本発明に係る第１〜第４実施形態の眼科装置としての検眼装置１００，１００Ａ，１００Ｂは、上述のような視標表示装置２，２Ａ，２Ｂを備えて構成される。
【００６８】
以上の構成により、ディスプレイ２０，２０Ａ，２０Ｂの左眼用の表示領域２１Ｌに表示された左眼用の視標ＯＬからの所定の光学特性を有する光が、左眼用の光学部材のみを透過した後、左眼用のプリズムＰＬによって偏向されて左眼ＥＬに導かれる。一方、右眼用の表示領域２１Ｒに表示された右眼用の視標ＯＲからの、視標ＯＬからの光とは異なる光学特性を有する光が、右眼用の光学部材のみを透過した後、右眼用のプリズムＰＲによって偏向されて右眼ＥＲに導かれる。したがって、簡易な構成によって両眼視機能検眼視標の提示ができ、被検者が自然視状態と同様の眼位での両眼視機能検眼が可能となる。
【００６９】
また、第２実施形態においては、光学特性が波長であり、左眼用及び右眼用の各表示領域２１Ｌ，２１Ｒには、互いに異なる波長の左眼用及び右眼用の各視標ＯＬ，ＯＲが表示され、左眼用及び右眼用の各光学部材は、左眼用及び右眼用の各視標からの波長の光のみを透過するフィルタから構成されている。この構成により、部材点数がより少なく、より簡易な構成の視標表示装置２及び検眼装置１００を提供できる。
【００７０】
また、第１、第３、第４実施形態では、光学特性が偏光特性であり、ディスプレイ２０，２０Ａ，２０Ｂの左眼用及び右眼用の表示領域２１Ｌ，２１Ｒに対応して配置されて各表示領域２１Ｌ，２１Ｒからの光から偏光特性が異なる偏光光を得る左眼用及び右眼用の一対の視標側偏光部材としての視標側偏光フィルムｆＬ，ｆＲをさらに備えている。左眼用及び右眼用の各表示領域２１Ｌ，２１Ｒからの光は、左眼用及び右眼用の視標側偏光フィルムｆＬ，ｆＲによって互いに異なる偏光特性を有するものとされる。左眼用及び右眼用の各光学部材は、左眼用及び右眼用の視標側偏光フィルムｆＬ，ｆＲにより得られた各偏光光を透過させる被検眼側偏光部材としての被検眼側偏光フィルムＦＬ，ＦＲから構成されている。
【００７１】
この構成により、ディスプレイ２０，２０Ａ，２０Ｂの左眼用及び右眼用の異なる表示領域２１Ｌ，２１Ｒに表示された左眼用及び右眼用の視標ＯＬ，ＯＲからの光が、左眼用及び右眼用の視標側偏光フィルムｆＬ，ｆＲによって異なる偏光光に変換され、各偏光光が、左眼用及び右眼用の被検眼側偏光フィルムＦＬ，ＦＲをそれぞれ透過した後、左眼用及び右眼用のプリズムＰＬ，ＰＲによって偏向されて左眼ＥＬ及び右眼ＥＲに導かれる。したがって、簡易な構成によって両眼視機能検眼視標の提示ができ、被検者が自然視状態と同様の眼位での両眼視機能検眼が可能となる。
【００７２】
また、ディスプレイを用いて左右眼に異なる視標を呈示する従来の手法では、画素のラインごとに偏光特性の異なる偏光部材を配置していたため、片眼に提示する画像は１ラインおきとなり、解像度が１／２と低下していた。逆に解像度を上げるために画素ピッチの細かいディスプレイを用いる場合、画素ピッチに合わせて偏光部材を配置することは困難であるため、高解像化に限界があった。
【００７３】
これに対して、上記各実施形態では、左眼用及び右眼用の表示領域２１Ｌ，２１Ｒは、表示面２０ａを上下又は左右に２分するように設けられている。そのため、画素のラインごとに偏光部材を配置する必要がなく、第１、第３、第４実施形態のように左右眼用の表示領域２１Ｌ，２１Ｒに対応して、偏光特性の異なる視標側偏光フィルムｆＬ，ｆＲを配置すればよい。そして、これらによって偏光された偏光光を、それぞれ左右眼に対応して配置された被検眼側偏光フィルムＦＬ，ＦＲで透過させて左右眼に導くことができる。また、第２実施形態のように、波長によって左眼用及び右眼用の視標ＯＬ，ＯＲを分離する場合には、視標側偏光フィルムｆＬ，ｆＲを配置する必要もない。したがって、高解像度のディスプレイ２０，２０Ａ，２０Ｂにもこれらを適用することができ、その結果、視標表示装置２，２Ａ，２Ｂの高解像度化も可能となる。
【００７４】
また、上記各実施形態では、左眼用及び右眼用のプリズムＰＬ，ＰＲは、左眼ＥＬ及び右眼ＥＲの眼位が、自然視状態となるように、左眼用及び右眼用の各光学部材（被検眼側偏光フィルムＦＬ，ＦＲ又はフィルタ）を透過した光を偏向させる構成である。これにより、被検者Ｓは違和感のない検査が可能となるとともに、被検眼Ｅの視機能を、より高精度に検査することができる。
【００７５】
また、上記各実施形態では、左眼用及び右眼用の光学部材（視標側偏光フィルムｆＬ，ｆＬ又はフィルタ）は、左眼用及び右眼用の表示領域２１Ｌ，２１Ｒからの光の光路中への配置及び光路外への退避が自在に設けられている。そのため、光学特性（偏光特性又は波長）の違いを利用して両眼視機能検眼等を行う検査以外の各種検査にも好適に用いられる視標表示装置２，２Ａ，２Ｂ及び検眼装置１００，１００Ａ，１００Ｂを提供することができる。
【００７６】
また、上記各実施形態において、左眼用及び右眼用のプリズムＰＬ，ＰＲの偏向角及び偏向量は、左眼ＥＬ及び右眼ＥＲの状態に応じて変更されるものとすれば、左眼ＥＬ及び右眼ＥＲの状態に対応した、より高精度な検査が可能となる。
【００７７】
また、上記第１、第２実施形態では、左眼ＥＬ及び右眼ＥＲの視機能を矯正するための複数の光学部材１２Ｌ，１２Ｒを有する左眼用及び右眼用の検眼ユニット１０Ｌ，１０Ｒを備えている。この左眼用及び右眼用の検眼ユニット１０Ｌ，１０Ｒが、光学部材として１つ又は複数の検眼用光偏向部材を有し、視標表示装置２の左眼用及び右眼用のプリズムＰＬ，ＰＲとして、検眼ユニット１０Ｌ，１０Ｒの検眼用光偏向部材を用いる構成とすれば、視標表示装置２用に別個にプリズムＰＬ，ＰＲを備える必要がなく、視標表示装置２及び検眼装置１００をより簡易なものとすることができる。
【００７８】
また、上記各実施形態のように、制御部３０と、光学部材（被検眼側偏光フィルムＦＬ，ＦＲ又はフィルタ）及びプリズムＰＬ，ＰＲの駆動機構１３Ｌ，１３Ｌを備える構成とすることができる。また、視標側偏光フィルムｆＬ，ｆＲを有する場合は、その駆動機構を備える構成とすることができる。この構成により、両眼視機能検眼の際に、制御部３０は、左右眼用の表示領域２１Ｌ，２１Ｒに左右眼用の視標ＯＬ，ＯＲを表示し、駆動機構１３Ｌ，１３Ｒを駆動して、左右眼に対応させて、光学部材（被検眼側偏光フィルムＦＬ，ＦＲ又はフィルタ）及びプリズムＰＬ，ＰＲを配置するように制御する。さらには、駆動機構を駆動して各表示領域２１Ｌ，２１Ｒに対応させて、視標側偏光フィルムｆＬ，ｆＲを配置する。これにより、両眼視機能検眼の際に自然視状態の眼位とするための光学部材の調整を、自動で迅速かつ高精度に実施することが可能となる。
【００７９】
以上、本発明の眼科装置を実施形態に基づいて説明してきたが、具体的な構成については、これらの実施形態に限定されるものではなく、特許請求の範囲の各請求項に係る発明の要旨を逸脱しない限り、設計の変更や追加等は許容される。
【００８０】
例えば、上記各実施形態では、左右眼で偏光軸が交差する直線偏光を用いているが、これに限定されるものではない。各偏光フィルムＦＬ，ＦＲ，ｆＬ，ｆＲを、左右眼で回転方向が異なる円偏光によって構成することもできる。円偏光とすることで、検眼ユニット１０Ｌ，１０Ｒが傾いた場合等でも、偏光状態が維持されることから、クロストークが起こりにくく、より安定した検査を行うことができる。
【００８１】
また、上記各実施携帯では、視標表示装置２の視標表示部として、ＬＣＤや有機ＥＬ等の電子表示デバイスから構成されるディスプレイ２０，２０Ａ，２０Ｂを用いているが、これに限定されるものではない。例えば、紙や樹脂等に各種視標が印刷等された視標表示部を用いることもでき、消費者等のニーズに応じた様々なタイプの視標表示装置及び検眼装置を提供することができる。
【符号の説明】
【００８２】
２，２Ａ，２Ｂ  視標表示装置
２０，２０Ａ，２０Ｂ  ディスプレイ（視標表示部）
２０ａ  表示面    ２１Ｌ，２１Ｒ  表示領域
１００，１００Ａ，１００Ｂ  検眼装置
ｆ，ｆＬ，ｆＲ  視標側偏光フィルム（視標側偏光部材）
Ｆ，ＦＬ，ＦＲ  被検眼側偏光フィルム（光学部材、被検眼側偏光部材）
Ｐ，ＰＬ，ＰＲ  プリズム（光偏向部材）
Ｏ，ＯＬ，ＯＲ  視標    ＥＬ  左眼    ＥＲ右眼
【図１】
2020005821.tif 000003
【図２】
2020005821.tif 000004
【図３】
2020005821.tif 000005
【図４】
2020005821.tif 000006
【図５Ａ】
2020005821.tif 000007
【図５Ｂ】
2020005821.tif 000008
【図６】
2020005821.tif 000009
【図７】
2020005821.tif 000010